(57)【要約】【課題】電子機器において、外側からの見栄えを向上させる。【解決手段】電子機器Ｓは、前面板１１を有する筐体１と、前面板１１に固定される表示ユニット５と、表示ユニット５と前面板１１とを内側から結合するねじ６と、を有する。また、表示ユニット５は、表示パネル５２と、表示パネル５２を固定する固定板５１と、固定板５１に設けられており、ねじ６が挿入される挿入部材５５とを有する。また、挿入部材５５は、ナット５５０と、ナット５５０を移動可能に支持し、かつ固定板５１に固定されているナット支持部５５１と、を有する。【選択図】図１
2019121713.tif 000002
【特許請求の範囲】
【請求項１】
前面板を有する筐体と、
前記前面板に固定される表示ユニットと、
前記表示ユニットと前記前面板とを前記筐体の内側から結合するねじと、
を有することを特徴とする電子機器。
【請求項２】
前記表示ユニットは、
表示パネルと、
前記表示パネルを固定する固定板と、
前記固定板に設けられており、前記ねじが挿入される挿入部材と、
を有することを特徴とする、
請求項１に記載の電子機器。
【請求項３】
前記挿入部材は、
前記ねじと締結されるナットと、
前記ナットを移動可能に支持し、かつ前記固定板に固定されているナット支持部と、
を有することを特徴とする、
請求項２に記載の電子機器。
【請求項４】
前記固定板の裏側の面に設けられており、かつ、少なくとも一部が前記前面板の表側の面に接している複数のスペーサをさらに有することを特徴とする、
請求項２又は３に記載の電子機器。
【発明の詳細な説明】
【技術分野】
【０００１】
本発明は、電子機器に関する。
【背景技術】
【０００２】
従来、通信の機能とパソコンの機能を内蔵する電子機器が用いられている。特許文献１には、表示装置が機器収納ラックの前ドアに取付けられている構造が開示されている。
【先行技術文献】
【特許文献】
【０００３】
【特許文献１】特表２００９−５２６４０７号公報
【発明の概要】
【発明が解決しようとする課題】
【０００４】
表示装置が電子機器の筐体の前面板に取付けられている構造において、表示装置と前面板とが、外側からねじで結合されている場合、ねじが電子機器の外側に突出してしまうため、電子機器の見栄えが悪くなってしまうという問題が生じていた。
【０００５】
そこで、本発明はこれらの点に鑑みてなされたものであり、外側からの見栄えが向上する電子機器を提供することを目的とする。
【課題を解決するための手段】
【０００６】
本発明の第１の態様においては、前面板を有する筐体と、前記前面板に固定される表示ユニットと、前記表示ユニットと前記前面板とを前記筐体の内側から結合するねじと、を有することを特徴とする電子機器を提供する。
【０００７】
また、前記表示ユニットは、表示パネルと、前記表示パネルを固定する固定板と、前記固定板に設けられており、前記ねじが挿入される挿入部材と、を有するようにしてもよい。また、前記挿入部材は、前記ねじと締結されるナットと、前記ナットを移動可能に支持し、かつ前記固定板に固定されているナット支持部と、を有するようにしてもよい。
【０００８】
また、前記固定板の裏側の面に設けられており、かつ、少なくとも一部が前記前面板の表側の面に接している複数のスペーサをさらに有するようにしてもよい。
【発明の効果】
【０００９】
本発明によれば、電子機器において、外側からの見栄えが向上するという効果を奏する。
【図面の簡単な説明】
【００１０】
【図１】本実施形態に係る電子機器の構成を示す。
【図２】前面板付近を筐体の内側から見た構成を示す。
【図３】本実施形態に係る電子機器の前面板から表示ユニットが取り外された状態を前方から見た構成を示す。
【図４】表示ユニットが取り外された状態の前面板付近を筐体の内側から見た構成を示す。
【図５】表示ユニットが取り外された状態の前面板を裏側から見た構成を示す。
【図６】表示ユニットが取り外された状態の前面板を表側から見た構成を示す。
【図７】表示ユニットを裏側から見た構成を示す。
【図８】表示ユニットを表側から見た構成を示す。
【図９】表示ユニットが取り付けられている状態の前面板の断面図である。
【図１０】挿入部材の構成を示す図である。
【発明を実施するための形態】
【００１１】
＜本実施形態＞
［電子機器Ｓの概要］
図１は、本実施形態に係る電子機器Ｓの構成を示す図である。図２は、前面板１１付近を筐体１の内側から見た構成を示す図である。図３は、本実施形態に係る電子機器Ｓの前面板１１から表示ユニット５が取り外された状態を前方から見た構成を示す図である。図４は、表示ユニット５が取り外された状態の前面板１１付近を筐体１の内側から見た構成を示す図である。図５は、表示ユニット５が取り外された状態の前面板１１を裏側から見た構成を示す図である。図６は、表示ユニット５が取り外された状態の前面板１１を表側から見た構成を示す図である。本明細書においては、表示ユニット５が設けられている側を前方と称し、反対側を後方と称する。
【００１２】
電子機器Ｓは、例えば衛星基地局装置用のパソコン機能付きモデムである。電子機器Ｓは、筐体１、通信ユニット２、図示しない演算ユニット、操作ユニット４、表示ユニット５、及びねじ６を有する。
【００１３】
筐体１は、前面板１１、後面板１２、右側面板１３、左側面板１４、及び天板１５を有する。前面板１１は、筐体１の前面を形成する板である。図５及び図６に示すように、前面板１１は、前面板部１１１、上面板部１１２、下面板部１１３、右側面板部１１４、及び左側面板部１１５を有する。
【００１４】
前面板部１１１は、前面板１１の前面を形成する略長方形状の板である。前面板部１１１は、開口部１１６、穴１１７、及び穴１１８を有する。開口部１１６は、前面板部１１１に形成されている略長方形状の開口である。開口部１１６には、後述する表示ユニット５の一部が挿入される。穴１１７及び穴１１８は、それぞれ、後述するねじ６ａ及びねじ６ｂが挿入される円形状の穴である。穴１１７は、前面板部１１１における開口部１１６の右端付近に形成されている。穴１１８は、前面板部１１１における開口部１１６の左端付近に形成されている。
【００１５】
上面板部１１２は、前面板部１１１の上端から後方に向かって延伸する領域を有する。下面板部１１３は、前面板部１１１の下端から後方に向かって延伸する領域を有する。右側面板部１１４は、前面板部１１１の右端から後方に向かって延伸する領域を有する。左側面板部１１５は、前面板部１１１の左端から後方に向かって延伸する領域を有する。
【００１６】
後面板１２は、筐体１の後面を形成する板である。後面板１２は、前面板１１と平行である。右側面板１３は、筐体１の右側面を形成する板である。右側面板１３は、前面板１１及び後面板１２と直交している。左側面板１４は、筐体１の左側面を形成する板である。左側面板１４は、前面板１１及び後面板１２と直交している。天板１５は、筐体１の上面を形成する板である。天板１５は、前面板１１、後面板１２、右側面板１３、及び左側面板１４と直交している。
【００１７】
筐体１の内側には、図示しない仕切板が設けられている。仕切板は、筐体１の内側の空間を上下に分離している。具体的には、仕切板は、通信ユニット２と図示しない演算ユニットとの間に設けられている。仕切板は、前面板１１、後面板１２、右側面板１３、及び左側面板１４の内側に、前面板１１、後面板１２、右側面板１３、及び左側面板１４と直交して設けられている。
【００１８】
通信ユニット２は、デジタルデータをアナログ信号に変調し、かつアナログ信号をデジタルデータに復調するモデムの機能を有する。通信ユニット２は、例えば、メイン制御基板及びアンプを有する制御ユニット、水晶発振器、クロック信号源、電源、ファン、ＬＡＮスイッチ、インターフェース部、及び記憶部を有する。通信ユニット２は、筐体１の内側における仕切板の上方に収納されている。
【００１９】
演算ユニットは、パソコンの機能における制御部の機能を有する。演算ユニットは、例えば、マザーボード、マザーボード用記憶部を有する。演算ユニットは、通信ユニット２よりも下方に設けられている。具体的には、演算ユニットは、筐体１の内側における仕切板の下方に収納されている。演算ユニットは、通信ユニット２と電気的に接続されている。
【００２０】
操作ユニット４は、ユーザの操作を受け付ける機能を有する。操作ユニット４は、例えばキーボード、マウス、タッチパッド、及びトラックボールを有する。操作ユニット４は、演算ユニットと電気的に接続されている。操作ユニット４は、筐体１の内側における仕切板の下方に設けられている。操作ユニット４は、演算ユニットに対してスライドさせることにより演算ユニットに対して移動可能である。よって、電子機器Ｓにおいて、ユーザは、操作時に操作ユニット４を筐体１の外側に引き出すことにより、操作をすることができる。また、ユーザは、操作不要時には操作ユニット４を演算ユニットの内側に押し込むことにより、筐体１に収納することができる。
【００２１】
図７は、表示ユニット５を裏側から見た構成を示す図である。図８は、表示ユニット５を表側から見た構成を示す図である。図９は、表示ユニット５が取り付けられている状態の前面板１１の断面図である。
【００２２】
表示ユニット５は、情報を表示する機能を有する。表示ユニット５は、例えば操作ユニット４で通信ユニット２の設定を変更する際に、通信ユニット２の設定情報等を表示する機能を有する。表示ユニット５は、前面板１１の前面に設けられており、通信ユニット２の前方、かつ演算ユニットの上方に位置する。ユーザは、電子機器Ｓの前方から表示ユニット５で表示される情報を視認することができる。表示ユニット５は、前面板１１に固定されており、筐体１に対して着脱可能である。具体的には、表示ユニット５は、筐体１の前面板１１に対して着脱可能である。
【００２３】
［表示ユニット５の詳細］
図７〜図９に示すように、表示ユニット５は、固定板５１、表示パネル５２、表示パネル固定板５３、制御基板５４、及び挿入部材５５を有する。固定板５１は、表示パネル５２を固定する機能を有する。固定板５１は、前面板５１１、上面板５１２、下面板５１３、右側面板５１４、及び左側面板５１５を有する。前面板５１１は、固定板５１の前面を形成する略長方形状の板である。前面板５１１は、長方形状の開口部５１６を有する。開口部５１６の内側又は開口部５１６の後方には、表示パネル５２が位置する。
【００２４】
上面板５１２は、前面板５１１の上端から後方に向かって延伸している領域を有する。下面板５１３は、前面板５１１の下端から後方に向かって延伸している領域を有する。右側面板５１４は、前面板５１１の右端から後方に向かって延伸している領域を有する。左側面板５１５は、前面板５１１の左端から後方に向かって延伸している領域を有する。
【００２５】
表示パネル５２は、例えば液晶パネル（ＬＣＤ：Ｌｉｑｕｉｄ  Ｃｒｙｓｔａｌ  Ｄｉｓｐｌａｙ）である。表示パネル５２の前面は、開口部５１６の内側又は開口部５１６の後方に位置する。ユーザは、開口部５１６から表示パネル５２を視認することができる。表示パネル５２は、表示パネル５２を固定する機能を有する表示パネル固定板５３の前面に固定されている。
【００２６】
制御基板５４は、表示パネル５２を制御する機能を有する。制御基板５４は、表示パネル５２と電気的に接続されており、表示パネル固定板５３の後面に固定されている。制御基板５４は、電源コネクタ５４１及び通信コネクタ５４２を有する。電源コネクタ５４１には、制御基板５４と通信ユニット２に設けられている図示しない電源とを接続する電源ケーブルが接続される。通信コネクタ５４２には、制御基板５４と通信ユニット２に設けられている図示しないインターフェース部とを接続する、例えばＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）ケーブルが接続される。
【００２７】
表示パネル固定板５３は、固定板５１の前面板５１１の後面に固定されている。具体的には、表示パネル固定板５３は、表示パネル固定板５３に形成されている複数の穴、及び固定板５１の前面板５１１の後面に圧入されている複数のスタッドボルトの穴に、それぞれ、ねじを挿入して締め付けることで、固定板５１に固定されている。
【００２８】
挿入部材５５は、固定板５１に設けられており、ねじ６が挿入される。挿入部材５５は、ねじ６と結合することで、表示ユニット５を前面板１１に固定する機能を有する。挿入部材５５は、例えばフローティングナットである。挿入部材５５は、固定板５１の前面板５１１の後面に設けられている。図７に示す例においては、挿入部材５５として、複数の挿入部材５５ａ、５５ｂが設けられている。
【００２９】
挿入部材５５ａは、固定板５１の前面板５１１の後面における右側面板５１４付近に固定されている。具体的には、挿入部材５５ａは、固定板５１の前面板５１１の後面における表示パネル固定板５３の右端及び制御基板５４の右端と、右側面板５１４との間に設けられている。また、挿入部材５５ｂは、固定板５１の前面板５１１の後面における左側面板５１５付近に固定されている。具体的には、挿入部材５５ｂは、固定板５１の前面板５１１の後面における表示パネル固定板５３の左端及び制御基板５４の左端と、左側面板５１５との間に設けられている。
【００３０】
図１０は、挿入部材５５の構成を示す図である。図１０（ａ）は、挿入部材５５を上方から見た構成を示す図である。図１０（ｂ）は、挿入部材５５を側方から見た構成を示す図である。図１０（ｃ）は、挿入部材５５を下方から見た構成を示す図である。
【００３１】
図１０に示すように、挿入部材５５は、ナット５５０とナット支持部５５１とを有する。ナット５５０は、例えば略正方形状の面を有する。ナット５５０は、ナット５５０の中心に、ねじ６の雄ねじ部が挿入されて螺合する、雌ねじ部としての機能を有する穴が形成されている。
【００３２】
ナット支持部５５１は、ナット５５０を移動可能に支持し、かつ固定板５１に固定されている。ナット支持部５５１は、ナット支持部本体５５２、第１固定部５５８、及び第２固定部５５９を有する。ナット支持部本体５５２は、ナット５５０を移動可能に支持する機能を有する。ナット支持部本体５５２は、ナット５５０の平面よりもやや大きな略長方形状の面を有する。ナット支持部本体５５２は、穴５５３、第１係止部５５４、第２係止部５５５、側板部５５６、及び側板部５５７を有する。
【００３３】
穴５５３は、ナット支持部本体５５２の中心に形成されている。穴５５３の直径は、ねじ６の雄ねじ部の直径、及びナット５５０の雌ねじ部としての機能を有する穴の直径よりもやや大きい。第１係止部５５４及び第２係止部５５５は、ナット支持部本体５５２の両端にそれぞれ形成されている。第１係止部５５４及び第２係止部５５５は、ナット５５０がナット支持部本体５５２に対して平行な方向において所定の距離以上移動しないように規制する機能を有する。
【００３４】
第１係止部５５４は、ナット支持部本体５５２の平面の一端から下方に向かって延伸している。第１係止部５５４の下端、すなわち第１係止部５５４のナット支持部本体５５２と接続されている側とは反対側の端部には、内側に向かって延伸する突起が設けられている。第２係止部５５５の下端、すなわち第２係止部５５５のナット支持部本体５５２と接続されている側とは反対側の端部には、内側に向かって延伸する突起が設けられている。第１係止部５５４の下端に設けられている突起、及び第２係止部５５５の下端に設けられている突起は、ナット５５０がナット支持部本体５５２から離れる方向において所定の距離以上移動しないように規制する機能を有する。
【００３５】
側板部５５６及び側板部５５７は、ナット支持部本体５５２の第１係止部５５４及び第２係止部５５５が設けられている両端部を結ぶ向きと直交する向きにおける両端部に設けられている。側板部５５６は、ナット支持部本体５５２の一端にナット支持部本体５５２と直交して下方に向かって延伸して設けられている。側板部５５７は、ナット支持部本体５５２の他端、すなわちナット支持部本体５５２の側板部５５６が設けられている側とは反対側の端部から下方に向かって延伸して設けられている。側板部５５６及び側板部５５７は、ナット５５０がナット支持部本体５５２に対して平行な方向において所定の距離以上移動しないように規制する機能を有する。
【００３６】
ナット５５０は、ナット５５０の外縁が、第１係止部５５４、第２係止部５５５、側板部５５６、及び側板部５５７で形成される空間の内側に位置することで、ナット支持部本体５５２に対して平行な方向において、所定の距離以上移動しないように規制されている。また、ナット５５０は、ナット支持部本体５５２と、第１係止部５５４の下端に設けられている突起及び第２係止部５５５の下端に設けられている突起との間に位置することで、ナット支持部本体５５２から離れる方向において、所定の距離以上移動しないように規制されている。
【００３７】
第１固定部５５８及び第２固定部５５９は、ナット支持部５５１を固定板５１に固定する機能を有する。第１固定部５５８は、側板部５５６の下端、すなわち側板部５５６のナット支持部本体５５２が設けられている側の端部とは反対側の端部に、側板部５５６と直交してナット支持部本体５５２から離れる向きに延伸して設けられている。第２固定部５５９は、側板部５５７の下端、すなわち側板部５５７のナット支持部本体５５２が設けられている側の端部とは反対側の端部に、側板部５５７と直交してナット支持部本体５５２から離れる向きに延伸して設けられている。
【００３８】
第１固定部５５８及び第２固定部５５９には、それぞれ穴が形成されている。第１固定部５５８及び第２固定部５５９は、それぞれ固定板５１の前面板５１１の後面に接して固定されている。具体的には、挿入部材５５は、第１固定部５５８及び第２固定部５５９にそれぞれ形成されている穴、及び固定板５１の前面板５１１の後面に圧入されている複数のスタッドボルトの穴に、それぞれ、ねじを挿入して締め付けることで、固定板５１に固定されている。
【００３９】
スペーサ５６は、固定板５１の裏側の面に設けられており、かつ、少なくとも一部が前面板１１の表側の面に接している部材である。スペーサ５６は、弾性を有する部材であり、例えばゴム製である。図７に示す例においては、スペーサ５６として、上スペーサ５６１、下スペーサ５６２、右スペーサ５６３、及び左スペーサ５６４が設けられている。
【００４０】
上スペーサ５６１は、固定板５１の前面板５１１の裏側の面における表示パネル固定板５３の上端及び制御基板５４の上端と、上面板５１２との間に設けられている。下スペーサ５６２は、固定板５１の前面板５１１の裏側の面における表示パネル固定板５３の下端及び制御基板５４の下端と、下面板５１３との間に設けられている。
【００４１】
右スペーサ５６３は、固定板５１の前面板５１１の裏側の面における表示パネル固定板５３の右端及び制御基板５４の右端と、右側面板５１４との間に設けられている。具体的には、右スペーサ５６３は、固定板５１の前面板５１１の裏側の面における表示パネル固定板５３の右端付近に設けられている挿入部材５５ａと、右側面板５１４との間に設けられている。左スペーサ５６４は、固定板５１の前面板５１１の裏側の面における表示パネル固定板５３の左端及び制御基板５４の左端と、左側面板５１５との間に設けられている。具体的には、左スペーサ５６４は、固定板５１の前面板５１１の裏側の面における表示パネル固定板５３の左端付近に設けられている挿入部材５５ｂと、左側面板５１５との間に設けられている。
【００４２】
このように固定板５１にスペーサ５６が設けられていることで、表示ユニット５が前面板１１の前面に取付けられたときに、スペーサ５６が前面板１１の前面と接する。この結果、表示ユニット５が前面板１１に対して動くことを防いだり、電子機器Ｓの輸送時に振動又は衝撃によって表示ユニット５が前面板１１に対して移動して位置がずれたりすることを防ぐことができる。
【００４３】
ねじ６は、表示ユニット５と前面板１１とを筐体１の内側から結合する機能を有する。ねじ６は、雄ねじ部としての機能を有し、挿入部材５５と結合する。ねじ６として、ねじ６ａ及びねじ６ｂが設けられている。
【００４４】
ねじ６ａは、前面板１１の前面板部１１１の穴１１７、ナット支持部本体５５２の穴５５３、及びナット５５０の穴に挿入された状態で回転することで、ねじ６ａの雄ねじ部がナット５５０の雌ねじ部に螺合して、挿入部材５５ａに結合される。
【００４５】
同様に、ねじ６ｂは、前面板１１の前面板部１１１の穴１１８、ナット支持部本体５５２の穴５５３、及びナット５５０の穴に挿入された状態で回転することで、ねじ６ｂの雄ねじ部がナット５５０の雌ねじ部に螺合して、挿入部材５５ｂに結合される。
【００４６】
表示ユニット５の固定板５１は、前面板１１の前方で、挿入部材５５ａ及び挿入部材５５ｂが前面板１１の穴１１７及び穴１１８の位置に略一致するように前面板１１と平行に配置された状態で、ねじ６ａ及びねじ６ｂを、それぞれ、穴１１７及び穴１１８に挿入して回転させて、挿入部材５５ａ及び５５ｂに結合させることで、前面板１１に固定される。
【００４７】
［本実施形態に係る電子機器Ｓによる効果］
本実施形態に係る電子機器Ｓにおいては、表示ユニット５と前面板１１とがねじ６で筐体１の内側から結合されている。具体的には、ねじ６ａ及びねじ６ｂが、それぞれ、筐体１の内側から表示ユニット５の固定板５１の裏側の面に固定されている挿入部材５５ａ及び挿入部材５５ｂに結合されている。よって、電子機器Ｓにおいては、表示ユニット５の固定板５１の前方にねじ６ａ及びねじ６ｂが突出しないので、表示ユニット５の固定板５１の前面にねじ等の突起部が形成されておらず、表示ユニット５の固定板５１の前面側は、平坦な面形状となる。この結果、電子機器Ｓは、外側からの見栄えが向上する。
【００４８】
また、電子機器Ｓは、ナット５５０、及びナット５５０を移動可能に支持するナット支持部５５１から構成される挿入部材５５、いわゆるフローティングナットを有する。したがって、電子機器Ｓの製造者が、表示ユニット５を前面板１１に取付ける際に、ねじ６の雄ねじ部の位置が、ナット５５０の穴の位置から若干ずれてしまっていても、ねじ６を回転させて締め付けることで、ナット５５０が移動し、ねじ６をナット５５０に螺合させることができる。
【００４９】
表示ユニット５を取外す際には、ねじ６ａ及びねじ６ｂを回転させて緩めて、表示ユニット５の制御基板５４と通信ユニット２に設けられている図示しない電源とを接続する電源ケーブルを電源コネクタ５４１から引き抜き、表示ユニット５の制御基板５４と通信ユニット２に設けられている図示しないインターフェース部とを接続するＨＤＭＩケーブルを通信コネクタ５４２から引き抜くことで、表示ユニット５を簡単に取り外すことができる。
【００５０】
［変形例］
上記実施形態では、ねじ６が挿入される挿入部材５５は、ナット５５０及びナット５５０を移動可能に支持するナット支持部５５１を有する、いわゆるフローティングナットであるとしたが、挿入部材５５は、これに限定されない。挿入部材５５は、固定板５１に固定されている、雌ねじ部としての機能を有する穴が形成されている部材であればよく、例えば固定板５１の前面板５１１の後面に圧入されている、雌ねじ部としての機能を有する穴が形成されている圧入式スペーサであってもよい。
【００５１】
また、挿入部材５５は、固定板５１の前面板５１１における右側面板５１４付近及び左側面板５１５付近の２箇所に設けられているとしたが、挿入部材５５の数、及び挿入部材５５が設けられている位置は任意である。挿入部材５５は、例えば、固定板５１の前面板５１１における上面板５１２付近及び下面板５１３付近の２箇所に設けられていてもよい。この場合、具体的には、挿入部材５５は、固定板５１の前面板５１１の後面における表示パネル固定板５３の上端及び制御基板５４の上端と、上面板５１２との間に設けられていてもよい。また、挿入部材５５は、固定板５１の前面板５１１の後面における表示パネル固定板５３の下端及び制御基板５４の下端と、下面板５１３との間に設けられていてもよい。
【００５２】
上記実施形態では、スペーサ５６として、上スペーサ５６１、下スペーサ５６２、右スペーサ５６３、及び左スペーサ５６４の４つのスペーサが固定板５１に固定されているとしたが、スペーサ５６の数、及びスペーサ５６が設けられている位置は任意である。スペーサ５６は、例えば、固定板５１において、上スペーサ５６１、及び下スペーサ５６２の２箇所に設けられている構成であってもよい。
【００５３】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００５４】
Ｓ・・・電子機器
１・・・筐体
１１・・・前面板
１１１・・・前面板部
１１２・・・上面板部
１１３・・・下面板部
１１４・・・右側面板部
１１５・・・左側面板部
１１６・・・開口部
１１７・・・穴
１１８・・・穴
１２・・・後面板
１３・・・右側面板
１４・・・左側面板
１５・・・天板
２・・・通信ユニット
４・・・操作ユニット
５・・・表示ユニット
５１・・・固定板
５１１・・・前面板
５１２・・・上面板
５１３・・・下面板
５１４・・・右側面板
５１５・・・左側面板
５１６・・・開口部
５２・・・表示パネル
５３・・・表示パネル固定板
５４・・・制御基板
５４１・・・電源コネクタ
５４２・・・通信コネクタ
５５、５５ａ、５５ｂ・・・挿入部材
５５０・・・ナット
５５１・・・ナット支持部
５５２・・・ナット支持部本体
５５３・・・穴
５５４・・・第１係止部
５５５・・・第２係止部
５５６・・・側板部
５５７・・・側板部
５５８・・・第１固定部
５５９・・・第２固定部
５６・・・スペーサ
５６１・・・上スペーサ
５６２・・・下スペーサ
５６３・・・右スペーサ
５６４・・・左スペーサ
６、６ａ、６ｂ・・・ねじ
【図１】
2019121713.tif 000003
【図２】
2019121713.tif 000004
【図３】
2019121713.tif 000005
【図４】
2019121713.tif 000006
【図５】
2019121713.tif 000007
【図６】
2019121713.tif 000008
【図７】
2019121713.tif 000009
【図８】
2019121713.tif 000010
【図９】
2019121713.tif 000011
【図１０】
2019121713.tif 000012